(57)【要約】      （修正有）【課題】滑らかさや柔らかさに優れ、製造が容易でかつコストが安く、従来のものよりも安全性の高い香り付きティシュペーパー及びその製造方法を提供する。【解決手段】２プライ以上のティシュペーパー１００であって、少なくとも一部が香料を包接した包接体１０となっているシクロデキストリン１１と、保湿剤とを含み、１プライ当たりの保湿剤の含有量が１．０〜５．０ｇ／ｍ2であり、１プライ当たりの坪量が１０〜２０ｇ／ｍ2であり、水分含有率が５〜１５重量％である。【選択図】図２
2014188090.tif 000002
【特許請求の範囲】
【請求項１】
２プライ以上のティシュペーパーであって、少なくとも一部が香料を包接した包接体となっているシクロデキストリンと、保湿剤とを含み、１プライ当たりの保湿剤の含有量が１．０〜５．０ｇ／ｍ2であり、１プライ当たりの坪量が１０〜２０ｇ／ｍ2であり、水分含有率が５〜１５重量％である、ことを特徴とする香り付きティシュペーパー。
【請求項２】
前記シクロデキストリンの含有量が０．１〜１．０ｇ／ｍ2である請求項１記載の香り付きティシュペーパー。
【請求項３】
シクロデキストリン含有量に対する香料含有率が３〜２０重量％である請求項１又は２記載の香り付きティシュペーパー。
【請求項４】
少なくとも一部が香料を包接した包接体となっているシクロデキストリンを、水分含有率１０重量％以下の保湿剤に対して混合し、ティシュペーパー原紙に対して塗布することを特徴とする香り付きティシュペーパーの製造方法。
【請求項５】
少なくとも一部が香料を包接した包接体となっているシクロデキストリンと、保湿剤とを混合したのち、１２時間以内にティシュペーパー原紙に対して塗布する請求項４記載のティシュペーパーの製造方法。
【請求項６】
シクロデキストリンに対する香料含有率が３〜２０重量％である請求項４又は５記載の香り付きティシュペーパーの製造方法。
【発明の詳細な説明】
【技術分野】
【０００１】
本発明は、香りを発する香り付きのティシュペーパー及びその製造方法に関する。
【背景技術】
【０００２】
ティシュペーパーの中には、香りを発するようにしたものがある。この香り付きのティシュペーパーは、ローション薬液とも称される保湿剤を含有する高付加価値品のティシュペーパーにより一層の高級感を与えるようにしたものが多く、例えば、爽快感を与えるべくミント系、ハッカ系の香りを付与したものや、甘い印象を与える柑橘系の香りを付与したものなどがある。
【０００３】
このような香り付きのティシュペーパーでは、製造されてから使用者がティシュペーパーを使いきるまで安定して継続的に香りがするようにすべく、香料を直接的にティシュペーパーに付与せずに、香料をマイクロカプセルに封入したうえ保湿薬液中に分散させて付与するようにすることが行なわれる。このようにマイクロカプセルに香料を封入することで、ティシュペーパーを収納箱から取り出す際のティシュペーパーと収納箱との摺れ等によって、マイクロカプセルが壊われて香りが発するようになり、保管期間中に香料が蒸散してしまうことなく、製造されてから使用者がティシュペーパーを使いきるまで安定して継続的に香りが発するようになる。
【０００４】
しかし、この従来の香り付きティシュペーパーは、香料をマイクロカプセルに封入する際の歩留まりが悪い。また、マイクロカプセルが高価であるため、製品コストが高くなるという問題があった。そのうえ、マイクロカプセルの外殻は、メラミン樹脂、尿素樹脂、ウレタン樹脂などの樹脂材であり、このような樹脂材が、鼻水をかんだり、口許を清拭したりする際に、意図せず体内に取り込まれるおそれがある点も問題であった。
【０００５】
このように従来の香り付きティシュペーパーについては、製造が煩雑でコストが高いという問題があり、また、一層の安全性を求められている。
【先行技術文献】
【特許文献】
【０００６】
【特許文献１】特開２００５−２３７７４５
【特許文献２】特開２００８−２００１２４
【発明の概要】
【発明が解決しようとする課題】
【０００７】
そこで、本発明の主たる課題は、滑らかさや柔らかさに優れ、製造が用意でかつコストが安く、従来のものよりも安全性の高い香り付きティシュペーパー及びその製造方法を提供することにある。
【課題を解決するための手段】
【０００８】
上記課題を解決した本発明は以下のとおりである。
〔請求項１記載の発明〕
２プライ以上のティシュペーパーであって、少なくとも一部が香料を包接した包接体となっているシクロデキストリンと、保湿剤とを含み、１プライ当たりの保湿剤の含有量が１．０〜５．０ｇ／ｍ2であり、１プライ当たりの坪量が１０〜２０ｇ／ｍ2であり、水分含有率が５〜１５重量％である、ことを特徴とする香り付きティシュペーパー。
【０００９】
〔請求項２記載の発明〕
前記シクロデキストリンの含有量が０．１〜１．０ｇ／ｍ2である請求項１記載の香り付きティシュペーパー。
【００１０】
〔請求項３記載の発明〕
シクロデキストリン含有量に対する香料含有率が３〜２０重量％である請求項１又は２記載の香り付きティシュペーパー。
【００１１】
〔請求項４記載の発明〕
少なくとも一部が香料を包接した包接体となっているシクロデキストリンを、水分含有率１０重量％以下の保湿剤に対して混合し、ティシュペーパー原紙に対して塗布することを特徴とする香り付きティシュペーパーの製造方法。
【００１２】
〔請求項５記載の発明〕
少なくとも一部が香料を包接した包接体となっているシクロデキストリンと、保湿剤とを混合したのち、１２時間以内にティシュペーパー原紙に対して塗布する請求項４記載のティシュペーパーの製造方法。
【００１３】
〔請求項６記載の発明〕
シクロデキストリンに対する香料含有率が３〜２０重量％である請求項４又は５記載の香り付きティシュペーパーの製造方法。
【００１４】
（作用効果）
本発明の香り付きティシュペーパーは、カップ状の環状構造を有し、内部に疎水性分子をゲスト分子として包接する性質を有するシクロデキストリンを用い、そのゲスト分子を香料成分として包接させた包接体を含有させることとした。シクロデキストリンは、水分存在下で包接したゲスト分子を放出するため、本発明の香り付きティシュペーパーは、ティシュペーパーが大気中の水分を吸湿することにより、ほのかに香りを発し、また、鼻水をかんだりして多量の水分を吸収した際にしっかりと香りを発するものとなる。
【００１５】
シクロデキストリンは、塩基、熱に対して安定的、酸に対しても比較的安定な性質を有し、取り扱い性に優れ、安価であり、食品、医薬品にも用いられており、従来の香り付きティシュペーパーに用いられるマイクロカプセルの外殻を構成する樹脂材と比較して、コスト安で、安全性に優れる。また、ゲスト分子を包接させる方法も、乳化法、飽和水溶液法など歩留まりが高くコストも安い。よって、本発明の香り付きティシュペーパーは、従来のマイクロカプセルを用いた香り付きティシュペーパーよりも、製造が容易でかつコストが安く、しかも、安全性が高いものとなる。
【００１６】
また、本発明の香り付きティシュペーパーは、１プライ当たりの坪量が１０〜２０ｇ／ｍ2であり、また、１プライ当たりの保湿剤の含有量が１．０〜５．０ｇ／ｍ2である。この範囲であると、柔らかく、高級感のあるティシュペーパーとなる。なお、１プライ当たりの保湿剤の含有量とは、複数プライで一組とされたティシュペーパーに含有される保湿剤をプライ数で除した値である。
【００１７】
ここで、保湿剤は、油性成分を主とする油性保湿剤、水性成分を主とする水性保湿剤のいずれでもよいが、水性保湿剤のほうがより好ましい。水性保湿剤は、含有するポリオール等の吸湿性によって大気中の水分を取り込んで、ティシュペーパーにしっとり感を与えるため、かかる水性保湿剤を用いると吸湿作用によりティシュペーパーにしっとり感が付与されるとともに包接体からゲスト分子である香料成分が徐々に放出されて、ほのかな香りが持続的に発せられるようになる。
【００１８】
また、本発明の香り付きティシュペーパーは、水分含有率が５〜１５重量％である。この範囲とすることで、包接体から香料が緩やかに放出され、ほのかな香りが持続的に感じられるものとなる。
【００１９】
本発明に係る香り付きティシュペーパーは、少なくとも一部が香料を包接した包接体となっているシクロデキストリンの含有量を０．１〜１．０ｇ／ｍ2とするのが望ましい。この含有量であれば、ティシュペーパーに含有させやすく、しかも、十分に香りを発するものとすることができる。また、本発明に係る香り付きティシュペーパーは、シクロデキストリン含有量に対する香料含有率が３〜２０重量％であるのが望ましい。香りを十分に発するものとすることができる。
【００２０】
ここで、シクロデキストリンは、ゲスト分子を放出した後に、空いた内空に再びゲスト分子を取り込む。したがって、本発明に係る香り付きティシュペーパーは、鼻水をかんだ際に香料成分が放散され、その後にその鼻水をかんだティシュペーパーをゴミ箱などに廃棄することで、シクロデキストリンが周囲の異臭成分をゲスト分子として取り込み、消臭機能が発揮されるという、従来の香り付きティシュペーパーにはない、特有の効果も奏する。
【００２１】
一方、本発明に係る香り付きティシュペーパーの製造方法では、少なくとも一部が香料を包接した包接体となっているシクロデキストリンを、水分含有率１０重量％以下の保湿剤に対して混合し、ティシュペーパー原紙に対して塗布するようにする。包接体を保湿剤に混合して塗布することで、両者を別途にティシュペーパー原紙に付与する必要がなく効率よく製造することができる。また、保湿剤の水分含有率を１０重量％以下にすることで、塗布のし易さを犠牲にすることなく、製造時における包接体からの香料の放出量を最低限に抑えることができ、香料を包接した状態のシクロデキストリンをティシュペーパーに十分な量を含ませることができる。
【００２２】
また、このように塗布する場合には、包接体を含むシクロデキストリンと保湿剤とを混合したのち、１２時間以内にティシュペーパー原紙に対して塗布するのが望ましい。塗布した後には、水分がティシュペーパー原紙に拡散されるため水分と包接体との接触機会が低減されて香料の放出が緩やかになるが、包接体と保湿剤とを混合した混合液の状態では、包接体と水分との接触機会が多く、香料が放出されやすく、また放出され続ける。したがって、混合した後の混合液を長期保管することは望ましくない。本発明の製造方法では、混合から１２時間以内にティシュペーパー原紙に塗布することで、保湿剤中の水分による過度の包接体から香料の放出を防止できる。
【００２３】
また、本発明の香り付きティシュペーパーの製造方法では、シクロデキストリン含有量に対する香料含有率が３〜２０重量％を包接させたものとするのが望ましい。ティシュペーパー中の水分で、香料を緩やかに放出するものとなる。
【発明の効果】
【００２４】
以上のとおり、本発明によれば、滑らかさや柔らかさに優れ、製造が容易でかつコストが安く、従来のものよりも安全性の高い香り付きティシュペーパー及びその製造方法が提供される。
【図面の簡単な説明】
【００２５】
【図１】本発明に係る２プライのティシュペーパーの断面図である。
【図２】本発明に係るティシュペーパーにおける香りの発生を説明するための図である。
【図３】本発明に係るティシュペーパーにおける消臭効果を説明するための図である。
【発明を実施するための形態】
【００２６】
以下に、本発明にかかる香り付きティシュペーパーの実施形態を図面を参照しながら以下に詳述する。本発明に係る香り付きティシュペーパーは、ティシュペーパー原紙に、少なくとも一部が香料を包接した包接体となっているシクロデキストリンと保湿剤とを含有させたものである。
【００２７】
本実施形態に係る香り付きティシュペーパーは、２プライ又は３プライのプライ構造をなし、そのＪＩＳ Ｐ ８１２４による坪量が１プライ当たり１０〜２０ｇ/ｍ2とされる。１０ｇ／ｍ2未満だと使用時に破れやすく、２０ｇ／ｍ2を超えると原料コストが高くなるとともに柔らかさが発現しがたくなる。本実施形態に係る香り付きティシュペーパーの紙厚は、好適には１００〜２００μｍ、より好適には１１０〜１５０μｍである。紙厚が上記範囲外であると、ティシュペーパーとしての強度及び柔らかさの点で好ましくない。なお、紙厚は、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。
【００２８】
本発明に係る香り付きティシュペーパーのプライを構成するシートは、クレープ紙であり、これは、パルプスラリーに対して乾燥紙力剤や湿潤紙力剤等の既知の薬剤を添加した抄紙原料を、ヤンキドライヤーを有する抄紙設備にて抄造することができる。
【００２９】
本発明に係る香り付きティシュペーパーにおけるパルプ原料は、ＮＢＫＰ（針葉樹クラフトパルプ）とＬＢＫＰ（広葉樹クラフトパルプ）とで構成されているのが望ましい。適宜古紙パルプが配合されていてもよいが、得られるティシュペーパーの風合いの点でも望ましいことから、バージンパルプのＮＢＫＰとＬＢＫＰのみから構成されているのがよい。その場合の配合割合（ＪＩＳ Ｐ ８１２０）としては、ＮＢＫＰ：ＬＢＫＰ＝２０：８０〜８０：２０がよく、特に、ＮＢＫＰ：ＬＢＫＰ＝３０：７０〜６０：４０が望ましい。
【００３０】
他方、本発明に係るシクロデキストリンに香料成分が包接された包接体は、既知のシクロデキストリンに対して、乳化法、飽和水溶液法などの既知の方法により香料成分を包接させて製造することができる。このシクロデキストリンは、結合するグルコースの個数により、一般的にα-シクロデキストリン（グルコース６個）、β-シクロデキストリン（グルコース７個）、γ-シクロデキストリン（グルコース８個）があり、これらα、β、γの各シクロデキストリンは、内径が相違していて、その内径に応じたゲスト分子を内部に取り込む。その内径は、α-シクロデキストリンで０．５〜０．６ｎｍ、β−シクロデキストリンで０．７〜０．８ｎｍ、γ−シクロデキストリンで０．９〜１．０ｎｍである。本発明において用いるシクロデキストリンの種類は、香料成分との関係で適宜定めればよく、必ずしも限定はされないが、安価で水に溶けがたく取り扱い性に優れる点でβ-シクロデキストリンが特に好適である。
【００３１】
他方、本発明に係る香料は、シクロデキストリンの種類に応じて適宜、選択すればよく、特に限定されるものではないが、具体例として、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００３２】
香料のなかでも、ｌ-メントールは、ハッカ香に加えて皮膚刺激作用があり爽快感、清涼感が特に得られ、ミント系の香料成分である鼻水をかむ用途や口元を清拭する用途に用いられるティシュペーパーの香料成分として適しているとともに、上記の安価なβ-シクロデキストリンとの相性がよくゲスト分子として包接される。よって、本発明に係る香り付きティシュペーパーでは、β-シクロデキストリンにｌ-メントールをゲスト分子として包接させた包接体を含有したものが望ましい組み合わせの例として示すことができる。
【００３３】
他方、本発明に係るティシュペーパーでは、水分含有率を５〜１５重量％とする。水分含有率は、ＪＩＳ  Ｐ  ８１１１（１９９８）に準じて温度２３℃、湿度５０％Ｒ.Ｈ.環境下で２４時間調湿した際のティシュペーパーの重量から、温度１０５±３℃環境下で４時間乾燥させ絶乾状態とし、その絶乾時のティシュペーパーの重量を差し引いてティシュペーパーに含まれる水分量を算出し、その水分量を上記温度２３℃、湿度５０％Ｒ.Ｈ.環境下で２４時間調湿した際のティシュペーパーの重量で除して算出した値である。
【００３４】
ティシュペーパー中の水分含有率が５重量％未満であると、包接体から香料が放出されがたく香気が十分に感じられなくなる。また、水分含有率が１５重量％を超えると、包接体から香料が過度に放出されやすくなり、香りの持続性に劣るものとなる。ここで、係る水分含有率にするには、保湿剤を含有させることで容易に達成できる。
【００３５】
ここで、ティシュペーパーに用いられる保湿剤は種々存在するが、水及びポリオールを主とする水系保湿剤（通常「水系薬液」或いは「水系ローション薬液」とも呼ばれる）、主に非水溶性のワックス等を含み常温で半固形である油系保湿剤（通常「油系薬液」或いは「油系ローション薬液」とも呼ばれる）とに大別される。水系保湿剤の具体例としては、グリセリン、プロピレングリコール等のポリオールを９０〜９５重量％、水分を５〜１０重量％程度含むものが例示できる。油系保湿剤の具体例としては、主成分がワックス類、油脂類であり、常温・常圧では液体又は半固体（クリーム）状をなすのが一般的である。前記油脂類、ワックス類としては、白色ワセリン、流動パラフィン、ヤシ油、パーム油、パルチミン酸などの飽和脂肪酸等が例示できる。
【００３６】
前記水系保湿剤はシートに塗布した場合にシートを構成するパルプ繊維との親和性に優れ、シートの厚み方向（Ｚ方向とも称される）に含浸し、シート全体を改質するように作用し、油系保湿剤は主に表面をコーティングするように作用し、特に表面の滑らかさを向上させる。本発明に係る保湿剤は、水性保湿剤、油性保湿剤のいずれであってもよいが、水系保湿剤であると、ポリオールの吸湿によって水分が常時紙中に取り込まれるため、その吸収された水分によって包摂体がゲスト分子である香料を放出し、ほのかな香りがより継続的に発するものとなる。なお、油系保湿剤では、乳化による保湿剤自身の水分の取り込みとティシュペーパー原紙の吸湿性の相乗により５〜１０重量％の水分含有率に容易にでき、水系保湿剤の場合で１０〜１５重量％の水分含有率に容易にすることができる。
【００３７】
本発明に係る香り付きティシュペーパーに用いる、少なくとも一部が香料を包接した包接体となっているシクロデキストリンは、シクロデキストリンに対する香料含有率が３〜２０重量％であるのが望ましい。より好ましくは３〜１８重量％、特に好ましくは５〜１５重量％である。この程度の香料を含んで一部包接体を形成しているシクロデキストリンであれば、上記水分含有率で香りを感じられるものとすることができ、また、その持続性に優れるものとすることができる。また、このことは換言すれば、本発明に係る香り付きティシュペーパーは、シクロデキストリン含有量に対する香料含有率が３〜２０重量％が望ましく、より好ましくは、３〜１８重量％、特に好ましくは５〜１５重量％であるということである。この範囲であれば、ティシュペーパーの水分含有率と相まって香りが十分に感じられ、また持続性に優れるものとなる。
【００３８】
また、本発明に係る一部が香料を包接した包接体となっているシクロデキストリンの含有量は、香調や香りの強さにより適宜定めることができるが、好適な範囲と例示するならば、０．１〜１ｇ／ｍ2である。０．１ｇ/ｍ2未満であると十分に香りが感じられないおそれがあり、１ｇ/ｍ2を超えると香りが強くなり過ぎるおそれがある。
【００３９】
他方、本発明に係る香り付きティシュペーパーを製造するにあたって、包接体を含むデキストリンをティシュペーパーに含有させるには、このデキストリンをティシュペーパーに保湿性を付与する保湿剤中に分散させ、その保湿剤をティシュペーパー原紙に対して塗布して含有させるのがよい。但し、シクロデキストリンを用いた包接体は、水の存在下でゲスト分子を放出するため、保湿剤中の水分含有率は１０重量％以下にする。また、塗布時における香料成分の放散量を少なくすべく、保湿剤に対して包接体を混合してから、ティシュペーパー原紙に塗布するまでの時間は、最長で１２時間以内、好ましくは４時間以内、より好ましくは混合後１時間以内に塗布する。なお、特に水系保湿剤中に包接体を分散させてティシュペーパー原紙に塗布する態様を採る場合、塗布直後から保湿剤中の水分が繊維間に吸収拡散されて包接体が比較的塗布面に留まるようになる。したがって、塗布直後から包接体と水分との接触機会が低減し、塗布後は保湿剤中の水分の影響を受けがたくなる。よって、保湿剤を塗布するにあたっては、保湿剤中にシクロデキストリンが分散された混合液の状態の期間を短くすることにより、香料の歩留まりを向上させることができる。なお、シクロデキストリンのなかでも、特にβ-シクロデキストリンで塗布面に留まる傾向が顕著となる。
【００４０】
本発明に係るティシュペーパーの保湿剤の塗布量としては、ティシュペーパー原紙の１０〜３５重量％の塗布量とするのが望ましい。特に油性保湿剤の場合は、１０〜３０重量％とするのが望ましい。１０重量％未満であると油系保湿剤による表面の滑らかさの向上が十分ではない場合があり、また、３０重量％を超えるとベタつきが感じられるようになるため望ましくない。水系薬液を用いる場合には、塗布量は、ティシュペーパー原紙の１５〜３５重量％の塗布量とするのがよい。１５重量％未満であると柔軟性の向上が十分ではない場合があり、また、３５重量％を超えるとベタつきが感じられるようになるため望ましくない。
【００４１】
他方、本発明に係る香り付きティシュペーパーにおける包接体含むシクロデキストリンを含有させる好ましい位置は、ティシュペーパーの表面、裏面である。図１に示すように、ティシュペーパー１００の好ましい形態である２プライを採る場合には、積層外面Ａ，Ａである（図中各プライは符号Ｐで示す）。積層内面（各プライＰ，Ｐ同士が対面している面）は、吸湿による水分が溜まりやすく蒸散し難いため香りを発する期間が意図せず短くなる場合がある。
【００４２】
上記のように積層外面Ａ，Ａであると、図２に示すように、使用時にティシュペーパー１００で鼻をかんだ際に、鼻水２０に含まれる多量の水分が包接体１０，１０と接触することになり、その際にシクロデキストリン１１，１１…がゲスト分子である香料成分１２，１２…を放出して、十分な香りＧを発する。
【００４３】
そして、上述のとおりシクロデキストリン１１，１１…は、ゲスト分子である香料１２，１２…を放出した後に、再度ゲスト分子を取り込むため、本発明に係る香り付きティシュペーパー１００では、図３に示すように、鼻水をかんだ後で香料成分が放出された状態で、ゴミ箱内に廃棄されたりすると、そのゴミ箱内の異臭成分１３，１３…をシクロデキストリン１１，１１…がゲスト分子として取り込み、ゴミ箱内を消臭する消臭機能が発揮される。
【００４４】
他方、本発明に係る香り付きティシュペーパーは、例えば、複数枚のティシュペーパーからなる束が、直六面体の収納箱内に収納され、その収納箱（カートン箱或いはティシュカートンとも称される）の上面に設けられた取出口からティシュペーパーを順次一枚ずつ引き出して使用するティシュペーパー製品（シート枚を取り出すとそれに連続して次のシートが取出口から引き出される形式をポップアップ式という）とすることができる。
【００４５】
かかるティシュペーパー製品は、この種の製品の既知の製造装置により製造できる。例えば、束の製造については、ロータリ式インターフォルダやマルチスタンド式インターフォルダが利用できる。
【実施例１】
【００４６】
次いで、本発明に係る香り付きティシュペーパーの実施例及び比較例を作成し、香りの強さなどの評価を行なった。各例は２プライのティシュペーパーであり、１プライ当たりの坪量は、下記表１に示すとおりである。なお、表１の各欄は下記の事項を示す。
【００４７】
〔香料保持体〕
一部が香料を包接した包接体とされているシクロデキストリン、及び一部が香料を封入されたものとなっているマイクロカプセルの双方を指す。「香料保持物」の欄は、シクロデキストリンかマイクロカプセルかを示し、「香料含有率」の欄は、シクロデキストリン又はマイクロカプセルに対する香料の含有割合を示す。
【００４８】
〔塗布薬液構成〕
実施例１〜５及び比較例３は、一部が香料を包接した包接体とされているシクロデキストリンを保湿剤に混合した塗布薬液をティシュペーパー原紙に塗布して製造した。比較例１及び２は、香料を封入したマイクロカプセルを保湿剤に混合した塗布薬液をティシュペーパー原紙に塗布するようにして製造した。本欄は、その塗布薬液の組成を示している。
「保湿剤種別」の欄は、保湿剤が水系であるか油系であるかを示し、「保湿剤」の欄は、塗布薬液中の保湿剤の割合を示し、「香料保持体」の欄は、塗布薬液中の香料保持体の割合を示し、「含水率」の欄は、塗布薬液中の水分の割合を示している。
【００４９】
〔塗布量及び含有量〕
塗布量及び含有量は、ティシュペーパー原紙に塗布した薬液量と、塗布後のティシュペーパーに含有される保湿剤等の量を示している。この欄の「薬液塗布量」は、ティシュペーパー原紙に塗布した塗布薬液の量、「保湿剤含有量」は、各例に係るティシュペーパーに含まれる保湿剤の量、「香料保持体含有量」は、各例に係るティシュペーパーに含まれる香料保持体の量、「薬液塗布割合」は、１プライの坪量に対する薬液の割合を示す。
【００５０】
〔乾燥引張強度，湿潤引張強度〕
乾燥引張強度及び湿潤引張強度は、各例に係るティシュペーパーのＪＩＳ  Ｐ  ８１１３（１９９８）に基づいて測定した値である。測定の際の試験片の幅は、２５ｍｍとした。この項目は、ティシュペーパーとして必要な強度を有するか否かが理解される。
【００５１】
〔ソフトネス〕
ソフトネスは、ＪＩＳ  Ｌ  １０９６  Ｅ法に準じたハンドルオメータ法に準じて測定した値である。但し、試験片は１００ｍｍ×１００ｍｍの大きさとし、クリアランスは５ｍｍで実施した。１プライで縦方向、横方向の各々５回ずつ測定し、その全１０回の平均値を小数点１桁とし、ｃＮ／１００ｍｍを単位として表した。この項目によりティシュペーパーの柔らかさが理解できる。
【００５２】
〔水分含有率〕
水分含有率は、ＪＩＳ  Ｐ  ８１１１（１９９８）に準じて温度２３℃、湿度５０％Ｒ.Ｈ.環境下で２４時間調湿した際のティシュペーパーの重量から、温度１０５±３℃環境下で４時間乾燥させ絶乾状態とし、その絶乾時のティシュペーパーの重量を差し引いてティシュペーパーに含まれる水分量を算出し、その水分量を上記温度２３℃、湿度５０％Ｒ.Ｈ.環境下で２４時間調湿した際のティシュペーパーの重量で除して算出した値である。
【００５３】
〔評価〕
「香りの強さ」「しっとり感」「滑らかさ」「柔らかさ」「消臭効果」は被験者２０人による官能評価として、それぞれの項目を５段階で評価した。表中の数値は、被験者の平均値を四捨五入して整数値としたものである。
「香りの持続性」は、温度５０℃、湿度５０％Ｒ.Ｈ.条件下での加速劣化試験により、７２０時間を３年相当、４８０時間を２年相当、２４０時間を１年相当、６０時間を３ヵ月相当、２０時間を１ヶ月相当として評価した。
「香りの強さ」の基準は、５：香りをかなり感じられる、４：香りを感じられる、３：香りをやや感じられる、２：香りをあまり感じられない、１：香りを感じられない、又は香りが強すぎる。
「香りの持続性」の基準は、５：未開封で製造後三年程度香りが保たれる、４：未開封で製造後二年程度香りが保たれる、３：未開封で製造後一年程度香りが保たれる、２：未開封で製造後三ヶ月程度香りが保たれる、１：未開封で製造後一ヶ月未満しか香りが保たれない。
「しっとり感」の基準は、５：しっとり感をかなり感じる、４：しっとり感を感じる、３：しっとり感をやや感じる、２：しっとり感をあまり感じない、１：しっとり感を感じない。
「滑らかさ」の基準は、５：滑らかさがかなり良い、４：滑らかさが良い、３：滑らかさがやや良い、２：滑らかさがやや悪い、１：滑らかさが悪い、又はべたつき感がある。
「柔らかさ」の基準は、５：柔らかさがかなり良い、４：柔らかさが良い、３：柔らかさがやや良い、２：柔らかさがやや悪い、１：柔らかさが悪い。
「消臭効果」の基準は、５：消臭効果をかなり感じる、４：消臭効果を感じる、３：消臭効果をやや感じる、２：消臭効果をあまり感じない、１：消臭効果を感じない。
【００５４】
【表１】
2014188090.tif 000003
【００５５】
まず、本発明の各実施例及び各比較例の乾燥引張強度及び湿潤引張強度に大きな相違はなく、各例はすべてティシュペーパーの通常の使用が行えるものである。
【００５６】
そして、実施例１〜５は、良好な香りの強さと香りの持続性、消臭効果が発揮されることが確認できた。比較例１、２はシクロデキストリンを用いずに従来通りのマイクロカプセルを用いて香りを付与した例であり、香りの強さ、持続性は同程度の効果が得られるが、マイクロカプセルは消臭効果がなく、香りの放出についても摩擦によりマイクロカプセルを破壊する工程が必要である。
【実施例２】
【００５７】
次いで、本発明に係る香り付きティシュペーパーの好適な製造条件に関して試験を行なった。各例の製造条件は、下記表２に示すとおりであり、実施例１は、香料を包接した包接体となっているシクロデキストリンを、水分含有率１０重量％の保湿剤に対して混合し１０時間攪拌した後、直ちにティシュペーパー原紙に対して塗布した。比較例１は、実施例１において攪拌時間を２０時間とした。比較例３は、実施例１において、保湿剤の水分含有率を１５重量％とした。
【００５８】
【表２】
2014188090.tif 000004
【００５９】
表２の結果をみてみると、各例ともに保湿剤の効果が発揮されており、しっとり感、滑らかさ、柔らかさの評価について大きな差異は観られなかった。しかし、比較例１や比較例２では、香りの持続性が実施例１と比して、非常に低い結果となった。塗布の時点で概ね包接体中の香料がほぼ放出されてしまっていると考えられる。このことは、実施例１と比較例１、比較例３の消臭効果に差異がないことからも推測される。
【００６０】
なお、本試験は、包接体を保湿剤に混合したのちに係る保湿剤を所定時間攪拌し続けて過度の負荷をかけた条件で製造している。したがって、本試験からは、少なくとも保湿剤の水分含有率を１０重量％以下とし、包接体を含むシクロデキストリンと保湿剤とを混合した後１２時間以内に塗布すれば、少なくとも本発明に係る香り付きティシュペーパーが製造できるということが示されているのであって、必ずしもこの条件で製造しなければ、本発明に係る香り付きティシュペーパーが製造できないというわけではない。
【符号の説明】
【００６１】
１００…ティシュペーパー、Ｐ…プライ、Ａ…ティシュペーパーの表裏面（プライの積層外面）、Ｇ…香り、１０…包接体、１１…シクロデキストリン、１２…香料成分、１３…異臭成分、２０…鼻水（水分）。
【図１】
2014188090.tif 000005
【図２】
2014188090.tif 000006
【図３】
2014188090.tif 000007